(57)【特許請求の範囲】
【請求項１】
リアクター本体（１）におけるコイルボビン（２）のフランジ（３），（３）の肉厚部（４），（４）に、それぞれ少なくとも１個ずつ、取付片用の挿通孔（５）を貫設し、
リアクター本体用の取付金具（８）に、それぞれの挿通孔（５）に対応させて取付片（１１）を立設し、
当該挿通孔（５）に取付片（１１）を挿通し、取付片（１１）におけるコイルボビン（２）のフランジ（３），（３）の肉厚部（４），（４）の上面から露出した部分を折り曲げまたはねじり、取付金具（８）にリアクター本体（１）を取り付けた、
ことを特徴とするリードタイプのリアクター。
【発明の詳細な説明】
【０００１】
【発明の属する技術分野】
この発明は、テレビ等の電源回路の一次側に組み込まれ、高調波電流の抑制用として用いられるリアクターに関する。
【０００２】
【従来の技術】
この種のリアクターは、絶縁性の合成樹脂を成型してなるコイルボビンにコイルを巻回し、コアを組み込むなどして構成されている。そして、ピン端子タイプのリアクターは、ピン端子を介して取付けることができるが、リードタイプの場合、ピン端子を有しないため、取付面に取付けるための取付金具をリアクター本体に組み込んでいる。
【０００３】
【発明が解決しようとする課題】
この場合、コアが外鉄型のものにおいては、リアクター本体を取付金具に、コア外周を利用して取り付けているが、外鉄型のものは、コア形状が大きく小型化に適さず、また、重量が増大するなどの欠点がある。
【０００４】
内鉄型のものは、かかる欠点を改善し得る反面、コアは小型であるため、コアを利用して取り付けにくい、という課題がある。
【０００５】
この発明は、上記のことに鑑み提案されたもので、その目的とするところは、内鉄型のリアクターにおいても、取付金具を容易に取り付けることができるようにしたリードタイプのリアクターを提供することにある。
【０００６】
【課題を解決するための手段】
前記目的を達成するため、本発明ではリアクター本体１におけるコイルボビン２のフランジ３，３の肉厚部４，４に、それぞれ少なくとも１個ずつ、取付片用の挿通孔５を貫設し、リアクター本体用の取付金具８に、それぞれの挿通孔５に対応させて取付片１１を立設し、当該挿通孔５に取付片１１を挿通し、取付片１１におけるコイルボビン２のフランジ３，３の肉厚部４，４の上面から露出した部分を折り曲げまたはねじり、取付金具８にリアクター本体１を取り付けている。
【０００７】
【発明の実施の形態】
以下、本発明の実施例を図面に基づいて説明する。
【０００８】
図１は本発明の一実施例を示すもので、リアクター本体と取付金具の斜視図、図２はリアクター本体を取付金具に取り付けたリードタイプのリアクターの斜視図である。
【０００９】
この実施例では、図１に示すように、リアクター本体１と、これの取付金具８とを備えている。
【００１０】
前記リアクター本体１は、コイルボビン２と、取付片用の挿通孔５と、コイル６と、コア７とを有している。
【００１１】
前記コイルボビン２は、巻胴部（図示せず）と、巻胴部内に形成された中空部（これも図示せず）と、巻胴部の両端に形成されたフランジ３，３と、これの下部に形成された肉厚部４，４とを有している。
【００１２】
前記取付片用の挿通孔５は、この実施例では図１に示すように、コイルボビン２のフランジ３，３の肉厚部４，４に、それぞれ肉厚部４，４の長さ方向に所定の間隔をおいて２個ずつ貫設されている。また、各挿通孔５は前記肉厚部４の幅方向に長い矩形に形成されている。
【００１３】
前記コイル６は、コイルボビン２の巻胴部の外周に巻回され、かつその引出線には周知のようにリード線（図示せず）が接続され、リードタイプとなっている。
【００１４】
前記コア７は、２個で一対をなしている。また、各コア７はＵ型に形成されていて、それぞれ２本の脚部を有している。そして、各コア７はその脚部を、コイルボビン２の巻胴部の内部の中空部に、当該フランジ４の外側からそれぞれ挿入し、各脚部の対向面を磁気ギャップを介し互いに接着して取り付けられている。
【００１５】
前記取付金具８は鉄板等の金属板を加工してなり、かつ図１に示すように、取付用の床部９と、この取付板９の四隅に形成された取付片１１とを有している。
【００１６】
前記床部９は、リアクター本体１を載置し得る大きさの矩形に形成されている。この床部９の隅部の適位置には、複数個の取付穴１０が設けられている。
【００１７】
前記取付片１１は、前記リアクター本体１におけるコイルボビン２のフランジ３，３の肉厚部４，４に設けられた挿通孔５に対応させて、床部９の長さ方向の両側部と、幅方向の両側部とをそれぞれほぼＩ字型に折り曲げて形成されている。したがって、取付片１１は床部９の長さ方向と幅方向とにそれぞれ２本ずつ、都合４本立設されている。また、各取付片１１は平面から見て、前記挿通孔５に嵌合する矩形に形成されている。さらに、各取付片１１は前記コイルボビン２のフランジ３の肉厚部４の高さ寸法より長い長さに形成されている。そして、各取付片１１はコイルボビン２のフランジ３の肉厚部４に形成された当該挿通孔５に挿通され、肉厚部４の上面より露出した部分を、図１に矢印ａで示すごとく例えば内側に向って折り曲げ、またはねじるようになっている。
【００１８】
前述のごとく、コイルボビン２とコイル３とコア７とを有する内鉄型のリアクター本体１を、取付金具８に取り付けるには次のように行う。
【００１９】
すなわち、取付金具８の床部９に立設された４本の取付片１１に、コイルボビン２のフランジ３の肉厚部４に貫設された４個の挿通孔５を位置合わせし、当該挿通孔５に取付片１１を挿通し、取付金具８の床部９上にリアクター本体１を載置する。
【００２０】
ついで、各取付片１１におけるコイルボビン２のフランジ３の肉厚部４上に露出している部分を、この実施例では図２に示すごとく、互いに内側に向けて折り曲げ、またはねじることによって、取付金具８にリアクター本体１を取り付け、取付金具８にリアクター本体１を一体化したリードタイプのリアクター１２を得る。
【００２１】
以上のように、この実施例ではリアクター本体１におけるコイルボビン２のフランジ３，３の肉厚部４，４に所定の間隔をおいて挿通孔５を４個貫設し、取付金具８の床部９に、前記挿通孔５に対応させて取付片１１を４本立設し、当該取付片１１に挿通孔５を位置合わせし、その挿通孔５に取付片１１を挿通し、取付片１１におけるコイルボビン２のフランジ３，３の肉厚部４，４の上面に露出した部分を折り曲げまたはねじり、取付金具８にリアクター本体１を取り付けるようにしているので、内鉄型のリアクターにおいても、リアクター本体１を取付金具８に容易に取り付けることができる。
【００２２】
なお、取付金具８にリアクター本体１を一体化したリードタイプのリアクター１２を相手方の部材に取り付けるには、取付金具８の床部９に設けられた取付穴１０を利用して、ビスまたはリベット等の固着具により固着する。
【００２３】
また、本発明では挿通孔５と取付片１１の組を、図面に示すごとく４組設けたものに限らず、例えば対角線上に２組設けてもよく、要は複数組適正に設ければよい。
【００２４】
さらに、挿通孔５と取付片１１の形状は、例えば三角形や、楕円形でもよく、円形の一部を切欠した円弧形等に形成してもよい。
【００２５】
さらには、取付片１１の折り曲げるべき部分にあらかじめ小さい切り欠きを入れ、その切り欠きの部分から正確にかつ簡単に折り曲げ得るようにしてもよい。
【００２６】
【発明の効果】
以上説明したように、本発明ではリアクター本体１におけるコイルボビン２のフランジ３，３の肉厚部４，４に、それぞれ少なくとも１個ずつ、取付片用の挿通孔５を貫設し、リアクター本体用の取付金具８に、それぞれの挿通孔５に対応させて取付片１１を立設し、当該挿通孔５に取付片１１を挿通し、取付片１１におけるコイルボビン２のフランジ３，３の肉厚部４，４の上面から露出した部分を折り曲げまたはねじり、取付金具８にリアクター本体１を取り付けるようにしているので、内鉄型のリアクターにおいても、リアクター本体１を取付金具８に容易に取り付け得る効果がある。
【図面の簡単な説明】
【図１】本発明の一実施例を示すもので、リアクター本体と取付金具の斜視図である。
【図２】同実施例において、リアクター本体を取付金具に取り付けたリードタイプのリアクターの斜視図である。
【符号の説明】
１    リアクター本体
２    コイルボビン
３    フランジ
４    肉厚部
５    取付片用の挿通孔
６    コイル
７    コア
８    取付金具
９    床部
１１  取付片
１２  リードタイプのリアクター
【図１】
0003600485.tif 000002
【図２】
0003600485.tif 000003